(57)【要約】      （修正有）【課題】色温度・照度・演色性の設定が変えられる高機能なＬＥＤ照明を、安いコストで提供する。【解決手段】ＬＥＤ照明側に予め電球色・昼白色・赤色・緑色・橙色などの色温度や発光色の異なるＬＥＤ素子５〜９を装着させて、それぞれのＬＥＤ素子５〜９を別々にＯＮ・ＯＦＦできるディップスイッチ４を照明側に装着させることにより、当該ＬＥＤ照明の利用者が色温度・照度・演色性の設定を変えられる。更に、電球カバー部分とＬＥＤ照明の本体部分を簡単に開閉できる仕様にして、ＬＥＤ素子５〜９がはんだ付けされている基板上に安価なディップスイッチ４を取り付ける事により、外観を損なわずに、色温度・照度・演色性の設定が変えられる。【選択図】図２
0003201268.tif 000002
【実用新案登録請求の範囲】
【請求項１】
管球形ＬＥＤ照明に於いて、ＬＥＤ素子がはんだ付けされている基板上にディップスイッチを取付け、開閉可能な電球カバーと組み合わせることによって、外観を損ねず、当該ＬＥＤ照明の利用者が容易に色温度・照度・演色性の設定を変えられることを特徴としたＬＥＤ照明。
【請求項２】
スポットライト形ＬＥＤ照明に於いて、ＬＥＤ素子がはんだ付けされている基板上にディップスイッチを取付け、開閉可能なレンズ付き電球カバーと組み合わせることによって、外観を損ねず、当該ＬＥＤ照明の利用者が容易に色温度・照度・演色性の設定を変えられることを特徴としたＬＥＤ照明。
【請求項３】
直管形（蛍光灯形）ＬＥＤ照明に於いて、ＬＥＤ素子がはんだ付けされている基板上或いは電源回路の基板上にディップスイッチを取付け、開閉可能なカバー或いは裏側に開口したカバーと組み合わせることによって、外観を損ねず、当該ＬＥＤ照明の利用者が容易に色温度・照度・演色性の設定を変えられることを特徴としたＬＥＤ照明。
【請求項４】
管球形・直管形・ベースライト形など全般的なＬＥＤ照明に於いて、別途調光装置や照明コントロール装置で制御せずに、無線或は有線スイッチにより遠隔制御することなく、ＬＥＤ照明側に予め電球色・昼白色・赤色・緑色・橙色などの色の異なるＬＥＤ素子を装着させて、それぞれのＬＥＤ素子を別々にＯＮ／ＯＦＦできる（少なくても３回路以上制御可能な）スイッチを照明側に装着させる（組み合わせる）ことにより、当該ＬＥＤ照明の利用者が色温度・照度・演色性の設定を変えられることを特徴としたＬＥＤ照明。
【考案の詳細な説明】
【技術分野】
【０００１】
本考案は、色温度・照度・演色性の設定を変えられる管球形（電球形やスポットライト形を含む）・直管形（蛍光灯形）などのＬＥＤ照明に関するものである。
【背景技術】
【０００２】
従来、白熱電球や蛍光灯などはＬＥＤ照明に比べ寿命が短く消耗品に分類され、色温度・照度・演色性などの違う照明が必要な場合は、それぞれ別々に購入し、予備も別々に保管する必要があった。
【０００３】
更に、白熱電球や蛍光灯などは発光部分にガスを充填する必要があり、電球カバー（ガラス部分）を開閉させることはできなかった。
【考案の概要】
【考案が解決しようとする課題】
【０００４】
色温度・照度・演色性などの違うＬＥＤ照明を別々に購入し、それぞれの予備も別々に保管するには経済的負担やスペース・管理の負担が大きい。特に短期間で季節ごとに照明を変えたり数年ごとに内装を変える必要のある店舗では、前述の負担が大きくなる為その欠点を解決しようとするものである。
【課題を解決するための手段】
【０００５】
課題を解決する為の手段として、色温度・照度・演色性をそれぞれ別々に設定できるディップスイッチをＬＥＤ照明の電球部分（又は蛍光灯部分）に付けて提供することにより問題点を解決した。
【０００６】
既に照明コントロール装置を接続したり無線或は有線スイッチで照明と離れた所から色温度などを変えられるＬＥＤ照明は製品化されているが、単機能のＬＥＤ照明と比べると高価で経済的負担が大きい。当該考案は、ＬＥＤ照明の電球部分（蛍光灯部分）にスイッチを付加することにより製造コストを抑え、多機能ＬＥＤ照明でありながらコスト面での課題も同時に解決するものである。
【考案の効果】
【０００７】
前述したように、色温度や照度の設定が変えられるスイッチをＬＥＤ照明の電球部分（蛍光灯部分）に付加することにより、電球色と昼白色のＬＥＤ照明を別々に用意したり、照度の異なる４０Ｗと１００Ｗタイプを別々に購入するなどの必要が無くなる。
【０００８】
特に白熱球や蛍光灯などの照明は、省エネ且つ長寿命という大きなメリットがあるＬＥＤ照明に入れ替わりつつあり、今までの消耗品としての概念から１０年〜２０年以上使える備品として長期的な運用まで考える必要性が生まれつつある。その為、将来的に他の場所で使うことになったとしても、その場所に合わせて色温度や照度を変えて使うことができるＬＥＤ照明は有用性が高い。
【０００９】
更に、演色性が簡単に変えられるスイッチを付加することにより、生鮮食料品の肉が美味しそうに見える（赤色が鮮明になる）ＬＥＤ照明と、レタスやきゅうり等の緑色が鮮明に見えるＬＥＤ照明を別々に準備したり、低い色温度（電球色）の照明と白が鮮明に見えるスポットライトを別々に購入するなどの必要が無くなる。
【図面の簡単な説明】
【００１０】
【図１】管球タイプ（電球形）ＬＥＤ照明の側面図
【図２】電球カバーを外した管球タイプ（電球形）ＬＥＤ照明の平面図（ＬＥＤ素子がはんだ付けされている基板）
【図３】管球タイプ（スポットライト形）ＬＥＤ照明の側面図
【図４】電球カバー（レンズ部分）を外した管球タイプ（スポットライト形）ＬＥＤ照明の平面図（ＬＥＤ素子がはんだ付けされている基板）
【図５】直管タイプ（蛍光灯形）ＬＥＤ照明の平面図
【図６】直管タイプ（蛍光灯形）ＬＥＤ照明の断面図
【考案を実施するための形態】
【００１１】
管球タイプのＬＥＤ照明は、図２のＬＥＤ素子がはんだ付けされている基板上に４のディップスイッチを固定し、１の電球カバーを簡単に外してスイッチを切り替えられるように、１の電球カバーと２のＬＥＤ照明本体部分は接着剤などで固定せず、開閉可能な仕様にする。
【００１２】
直管（蛍光灯）タイプのＬＥＤ照明は、ＬＥＤ素子の基板上或いは裏側に配置（内蔵）させる電源回路の基板上にディップスイッチを固定し、直管カバーを簡単に外してスイッチを切り替えられるように開閉可能な仕様にするか、或いはスイッチの部分だけ穴を開け外側からピンセットなどで設定を変えられる仕様にする。
【実施例】
【００１３】
以下、添付図面に従って実施例を説明する。１は光を透す電球カバー部分で、２の電球形ＬＥＤ照明本体部分に接着剤などで固定せず、簡単に取り外せる仕様にする。
【００１４】
４のディップスイッチは基板上のＬＥＤ素子のＯＮ／ＯＦＦを制御し、例えば、外側の昼白色ＬＥＤ・内側の昼白色ＬＥＤ・外側の電球色ＬＥＤ・内側の電球色ＬＥＤ・赤色ＬＥＤ（この場合緑色及び橙色ＬＥＤは配置しない）以上の５種類のＬＥＤ素子をスイッチに配線すれば、それぞれ別々にＯＮ／ＯＦＦが可能になり、色温度と照度を変えることが可能になる。
【００１５】
更に、７の赤色ＬＥＤをＯＮにして点灯させれば、白色ＬＥＤの分光分布で最も弱いとされる赤色光を補って生鮮食料品の肉やトマトの赤色が鮮やかに見える等演色性がアップし、顔色が青白く見えるのを防ぐことも可能になる。
【符号の説明】
【００１６】
１  管球タイプ（電球形）ＬＥＤ照明の電球カバー部分
２  管球タイプ（電球形）ＬＥＤ照明の本体部分
３  管球タイプ（電球形）ＬＥＤ照明の口金部分
４  管球タイプ（電球形）ＬＥＤ照明の電球カバー部分を外した部分、ＬＥＤ素子がはんだ付けされている基板上に取付けられたディップスイッチ
５  ＬＥＤ素子（ＬＥＤチップ）、電球色（色温度が低い２３００Ｋ〜３５００Ｋ程度）
６  ＬＥＤ素子（ＬＥＤチップ）、昼白色（色温度が高い５０００Ｋ〜９０００Ｋ程度）
７  ＬＥＤ素子（ＬＥＤチップ）、赤色
８  ＬＥＤ素子（ＬＥＤチップ）、緑色
９  ＬＥＤ素子（ＬＥＤチップ）、橙色
１０  管球タイプ（スポットライト形）ＬＥＤ照明の電球カバー部分
１１  管球タイプ（スポットライト形）ＬＥＤ照明の本体部分
１２  管球タイプ（スポットライト形）ＬＥＤ照明の口金部分
１３  ＬＥＤ素子（ＬＥＤチップ）、電球色（色温度が低い２３００Ｋ〜３５００Ｋ程度）
１４  ＬＥＤ素子（ＬＥＤチップ）、白昼色（色温度が高い５０００Ｋ〜９０００Ｋ程度）
１５  ＬＥＤ素子（ＬＥＤチップ）、緑色
１６  ＬＥＤ素子（ＬＥＤチップ）、橙色
１７  ＬＥＤ素子（ＬＥＤチップ）、赤色
１８  管球タイプ（スポットライト形）ＬＥＤ照明の電球カバー部分を外した部分、ＬＥＤ素子がはんだ付けされている基板上に取付けられたディップスイッチ
１９  直管タイプ（蛍光灯形）ＬＥＤ照明の直管カバー部分
２０  直管タイプ（蛍光灯形）ＬＥＤ照明の口金部分
２１  直管タイプ（蛍光灯形）ＬＥＤ照明の直管カバー部分
２２  直管タイプ（蛍光灯形）ＬＥＤ照明の電源回路部分
２３  直管タイプ（蛍光灯形）ＬＥＤ照明のＬＥＤ素子（ＬＥＤチップ）部分
【図１】
0003201268.tif 000003
【図２】
0003201268.tif 000004
【図３】
0003201268.tif 000005
【図４】
0003201268.tif 000006
【図５】
0003201268.tif 000007
【図６】
0003201268.tif 000008
【手続補正書】
【提出日】平成27年9月25日(2015.9.25)
【手続補正１】
【補正対象書類名】実用新案登録請求の範囲
【補正対象項目名】請求項４
【補正方法】変更
【補正の内容】
【請求項４】
管球形・直管形・ベースライト形など全般的なＬＥＤ照明に於いて、別途調光装置や照明コントロール装置で制御せずに、無線或は有線スイッチにより遠隔制御することなく、ＬＥＤ照明側に予め電球色・昼白色・赤色・緑色・橙色などの色の異なるＬＥＤ素子を装着させて、それぞれのＬＥＤ素子を別々にＯＮ／ＯＦＦできるスイッチを照明側に装着させることにより、当該ＬＥＤ照明の利用者が色温度・照度・演色性の設定を変えられることを特徴としたＬＥＤ照明。